(57)【要約】【課題】旅行行程や建造物・絵画・美術工芸品の名前を撮像データに付加して記録するとき、撮影した映像を１枚１枚調査した上でパソコンで記録用のデータを作成し付加するが、非常に面倒で時間がかかり、間違いも多かった。【解決手段】撮像手段Ｅ１、撮像データＤ１の記録手段Ｅ２、記録データの出力手段Ｅ３、行動予定の日付・時刻・記録事項の組からなる付加データＤ２を含む行動予定情報を入力し登録する入力手段Ｅ４、時刻管理手段Ｅ５、撮影指示に連動して現在時刻に基づき記録手段の行動予定情報を検索し、現在時刻以降で現在時刻に直近の時刻の付加データを読み出し、今回の撮像データに読み出した付加データをディジタル的に合成して付加データ付き撮像データＤ３を生成し、その付加データ付き撮像データを記録手段に記録する合成手段Ｅ６を備える。【選択図】  図１
2004260247.tif 000002
【特許請求の範囲】
【請求項１】
被写体を撮影し映像信号処理を行って撮像データを生成する撮像手段と、前記撮像手段による前記撮像データを記録する記録手段と、前記記録手段に記録されているデータを読み出して外部出力する出力手段とを備え、
さらに、行動予定にかかわる日付・時刻・記録事項の組からなる付加データを少なくとも１つ含む行動予定情報を外部から入力し前記記録手段に登録する入力手段と、
時刻を管理する時刻管理手段と、
撮影指示に連動して、前記時刻管理手段による現在時刻に基づいて前記記録手段の行動予定情報を検索し、前記現在時刻以降で前記現在時刻に直近の時刻に該当する付加データを読み出し、前記撮影指示により前記記録手段に記録された撮像データを読み出し、読み出した撮像データに読み出した付加データをディジタル的に合成して付加データ付き撮像データを生成し、生成した前記付加データ付き撮像データを前記記録手段に記録する合成手段とを備えるカメラ装置。
【請求項２】
前記合成手段は、前記撮像データに前記付加データを合成するときに、前記付加データにおける日付・時刻に代えて現在の日付・時刻を合成するように構成されている請求項１に記載のカメラ装置。
【請求項３】
前記合成手段は、前記付加データ付き撮像データを前記記録手段に記録するときに、その元になった撮像データに対して上書き記録するように構成されている請求項１または請求項２に記載のカメラ装置。
【請求項４】
前記撮影指示に連動して前記合成手段を起動する連動モードと、起動しない非連動モードとを切り換え可能に構成されている請求項１から請求項３までのいずれかに記載のカメラ装置。
【請求項５】
さらに、前記時刻管理手段における管理時刻について時差の補正を行う時差補正手段を備えている請求項１から請求項４までのいずれかに記載のカメラ装置。
【請求項６】
さらに、前記記録手段における付加データの加工を行う付加データ更新手段を備えている請求項１から請求項５までのいずれかに記載のカメラ装置。
【請求項７】
さらに、ネットワークに接続可能でホームサーバーから前記付加データを含む前記行動予定情報をダウンロード可能な網接続手段を備えている請求項１から請求項６までのいずれかに記載のカメラ装置。
【発明の詳細な説明】
【０００１】
【発明の属する技術分野】
本発明は、撮像データに付加データを合成して記録する機能を有するカメラ装置に関する。
【０００２】
【従来の技術】
従来、撮影で得られた被写体像をフィルムまたは電子媒体に記録するときに、撮影と同時に１ショットごとに、あらかじめ設定しておいた撮影年月日や簡単な数字・アルファベットなどを併せて記録するカメラ装置が知られている。
【０００３】
【特許文献１】
特開平８−２８５５９０号公報（第２−５頁、第５図）
【０００４】
【発明が解決しようとする課題】
フィルムに撮影年月日や撮影時刻を同時記録すること以外に、フィルムに記録された被写体像が何についてのものであるかの書誌的事項をフィルムに記録できるようにすることが期待されている。例えば、撮影されている被写体像が建造物である場合には、その建造物の名前を記録したり、撮影されている被写体像が美術工芸品である場合には、その美術工芸品の名前を記録したりすることである。あるいは、出発地がどこで、到着地がどこで、移動の交通手段が何であるかの情報を記録することである。
【０００５】
ディジタルカメラ装置で撮影した撮像データの場合には、そのままパソコンに取り込んで、付加データを合成し、付加データ付き撮像データとして記録媒体に記録する。
【０００６】
フィルムの場合には、一旦スキャナーによって画像をパソコンに取り込み、ディジタルの撮像データに変換し、その撮像データに付加データを合成する。
【０００７】
いずれにしても、パソコンのキーボードを操作して付加データを入力し、所定の操作手順で撮像データに付加データを合成する。どの撮像データにどのような付加データを合成するかについて、１枚１枚調べた上で作業する必要がある。このような作業は大変に面倒なものであり、多大な時間を要するものである。また、撮像データを振り返って識別することは、思い違いや記憶違いのために困難になる場合が少なくない。
【０００８】
本発明は、このような事情に鑑みて創作したものであり、撮像データに付加データを合成することを効率良くかつ正確に実現することを目的としている。
【０００９】
【課題を解決するための手段】
上記の課題を解決するために、本発明は次のような手段を講じる。
【００１０】
第１の解決手段として、本発明は次のように構成する。すなわち、被写体を撮影し映像信号処理を行って撮像データを生成する撮像手段と、前記撮像手段による前記撮像データを記録する記録手段と、前記記録手段に記録されているデータを読み出して外部出力する出力手段とを備えたカメラ装置を前提とし、さらに、行動予定にかかわる日付・時刻・記録事項の組からなる付加データを少なくとも１つ含む行動予定情報を外部から入力し前記記録手段に登録する入力手段と、時刻を管理する時刻管理手段と、撮影指示に連動して、前記時刻管理手段による現在時刻に基づいて前記記録手段の行動予定情報を検索し、前記現在時刻以降で前記現在時刻に直近の時刻に該当する付加データを読み出し、前記撮影指示により前記記録手段に記録された撮像データを読み出し、読み出した撮像データに読み出した付加データをディジタル的に合成して付加データ付き撮像データを生成し、生成した前記付加データ付き撮像データを前記記録手段に記録する合成手段とを備えた構成としている。
【００１１】
上記構成の理解を容易にするため、図１に好ましい形態のカメラ装置の構成を示す。この構成は一例である。図１において、Ｅ１は被写体を撮影し映像信号処理を行って撮像データＤ１を生成する撮像手段、Ｅ２は撮像手段Ｅ１による撮像データＤ１を記録する記録手段、Ｅ３は記録手段Ｅ２に記録されているデータを読み出して外部出力する出力手段である。Ｅ４は行動予定にかかわる日付・時刻・記録事項の組からなる付加データＤ２を少なくとも１つ含む行動予定情報を外部から入力し記録手段Ｅ２に登録する入力手段、Ｅ５は時刻を管理する時刻管理手段である。Ｅ６は撮像データＤ１と付加データＤ２との合成手段である。この合成手段Ｅ６は、撮影指示に連動して、時刻管理手段Ｅ５による現在時刻に基づいて記録手段Ｅ２の行動予定情報の付加データＤ２を検索し、現在時刻以降で現在時刻に直近の時刻に該当するいずれか１つの付加データＤ２を読み出し、前記の撮影指示により記録手段Ｅ２に記録された撮像データＤ１を読み出し、読み出した撮像データＤ１に読み出した付加データＤ２をディジタル的に合成して付加データ付き撮像データＤ３を生成し、生成した付加データ付き撮像データＤ３を記録手段Ｅ２に記録するものである。
【００１２】
この構成による作用は次のとおりである。行動予定にかかわる日付・時刻・記録事項の組からなる付加データを少なくとも１つ含む行動予定情報を作成し、この行動予定情報を入力手段によって外部から入力し、記録手段に登録しておく。付加データにおける記録事項としては、任意であるが、例えば、出発行程、到着行程、交通手段などがある。その行程にかかわるイベント情報も含み得る。イベント情報としては、記録したい建造物名、美術工芸品名などもある。
【００１３】
付加データを少なくとも１つ含む行動予定情報を記録手段に登録した上で、予定の行動に進み、その行程途上で必要に応じて撮影を行う。撮影指示を与えると、撮像手段と記録手段との連係動作により、撮像手段で被写体を撮影し、所要の映像信号処理を行って撮像データを生成し、その撮像データを記録手段に記録する。このとき、前記の撮影指示に連動して合成手段が起動する。合成手段は、時刻管理手段にアクセスし、現在時刻を読み出す。この現在時刻に基づいて記録手段における行動予定情報を検索し、現在時刻以降で現在時刻に直近の時刻に該当する付加データを読み出す。予定通りに行動していれば、この読み出された付加データは、現在の行動にタイムリーに合致したものとなっている。合成手段は、今回の撮影指示で記録手段に記録された撮像データも読み出し、この撮像データに前記の読み出した付加データをディジタル的に合成し、付加データ付き撮像データを生成する。そして、この生成した付加データ付き撮像データを記録手段に記録する。この付加データ付き撮像データでは、撮影時刻にタイムリーに合致した付加データが一体化されたものとなっている。このような付加データ付き撮像データが撮影と同時に自動的に作成され、自動的に記録されるのである。記録手段に記録された付加データ付き撮像データは、出力手段によって外部出力することが可能である。
【００１４】
上記のように、従来のように撮影者があとでまとめて人手作業でいちいち合成する場合に比べて、本発明によれば、はるかに効率良く、はるかに正確に付加データ付き撮像データを得ることができる。
【００１５】
上記の発明において好ましい態様は、前記合成手段が、前記撮像データに前記付加データを合成するときに、前記付加データにおける日付・時刻に代えて現在の日付・時刻を合成するように構成されていることである。撮像データに合成する日付・時刻として、付加データに含まれた日付・時刻を合成するのでもよいが、より正確には、現在の日付・時刻を合成する方が好ましい。そこで、合成手段は、時刻管理手段から現在の日付・時刻を取得し、付加データの日付・時刻と置換し、その現在の日付・時刻と書誌的事項である記録事項とを合成し、撮像データに合成して付加データ付き撮像データとする。特に、真夜中の撮影では、日付が替わることが起こり得るが、このような場合に正確な日付・時刻を合成することができる。
【００１６】
また、上記の発明において別の好ましい態様は、前記合成手段が、前記付加データ付き撮像データを前記記録手段に記録するときに、その元になった撮像データに対して上書き記録するように構成されていることである。元の撮像データを残し、合成で得た付加データ付き撮像データを独立で記録するのでもよいが、元の撮像データに対して上書き記録すれば、記憶容量の削減が可能である。元の撮像データを残す場合は、付加データのない原本としての価値を確保できる。元の撮像データを残すモードと上書き記録のモードとを切り換え可能に構成することも好ましい。
【００１７】
上記の発明において別の好ましい態様は、前記撮影指示に連動して前記合成手段を起動する連動モードと、起動しない非連動モードとを切り換え可能に構成されていることである。非連動モードは、撮像データに対して付加データの合成を行わないこととしたものである。条件に応じてモード切り換えし、記憶容量の有効利用を図ることができる。
【００１８】
上記の発明において別の好ましい態様は、さらに、前記時刻管理手段における管理時刻について時差の補正を行う時差補正手段（図１の符号Ｅ７参照）を備えていることである。標準時は世界標準時を基準に３０分単位で切り替わる。また、日付変更線を越えて旅行するときは、日付も替わる。そこで、利用者は、自己の置かれている状況に合わせて時差補正手段を用いて時差の補正を行う。これにより、広域を旅行する場合でも、正しい日付・時刻を付加データとして撮像データに合成することができる。
【００１９】
記録手段に記録されている行動予定情報の付加データについては、あらかじめ現地時刻に合わせた時刻形態で記録しておくのが好ましい。ただし、行動予定情報の付加データの日付・時刻についても、時差補正手段によって時差補正を行うように構成しておけば、自国の標準時基準で記録しておいた場合でも、時差補正により正しい日付・時刻を合成することができる。
【００２０】
上記の発明において別の好ましい態様は、さらに、前記記録手段における付加データの加工を行う付加データ更新手段（図１の符号Ｅ８参照）を備えていることである。旅行先で事情変化のために、行動予定が変化してしまうこともしばしばである。そこで、利用者は変更に合わせて、付加データ更新手段を用いて、記録手段における行動予定情報の付加データを加工できるようにしてある。付加データに対する加工の態様としては、修正、追加、削除など任意である。加工の対象としては、日付・時刻、書誌的事項のいずれも可である。事情変化に即応して適応的な対応が可能である。
【００２１】
上記の発明において別の好ましい態様は、さらに、ネットワークに接続可能でホームサーバーから前記付加データを含む前記行動予定情報をダウンロード可能な網接続手段（図１の符号Ｅ９参照）を備えていることである。当該のカメラ装置をその網接続手段においてネットワークに接続し、旅行主催者（旅行代理店、パッケージツアー主催者等）が運営するホームサーバーにアクセスする。アクセスは、旅行途上でもよいし、出発前でもよいし、旅行契約前でもよく、ホームサーバーから付加データを含む行動予定情報をダウンロードし、記録手段に記録する。旅行の計画を立てる上でも、旅行途上で予定が突然に変更になった場合にも、素早く行動予定情報を入手できるため、非常に便利である。
【００２２】
【発明の実施の形態】
以下、本発明にかかわるカメラ装置の実施の形態を図面に基づいて説明する。
【００２３】
図２は本発明の実施の形態におけるカメラ装置の構成を示すブロック図である。図２において、１は外部の映像をカメラ装置に取り込むための撮影レンズである。２は撮影レンズ１を通して得られた光の信号を電気信号に変換するためのＣＣＤ（Ｃｈａｒｇｅ  Ｃｏｕｐｌｅｄ  Ｄｅｖｉｃｅ）などの撮像素子である。この撮像素子２はＣＭＯＳセンサーなどの光の信号を電気信号に変換するためのセンサーでも構成可能である。３は撮像素子２で得た電気信号を圧縮し、伸張し、色変換したり記録用のフォーマットへ変換する等の必要な映像信号の処理を行うための映像信号処理部である。４は映像信号処理部３によって処理された撮像データＤ１の書き込み制御を行う書込制御手段、５は撮像データＤ１、付加データＤ２、付加データ付き撮像データＤ３その他のデータの書き込みを行う記録部、６は記録部５からデータを読み出す読出制御手段、７は読出制御手段６が記録部５から読み出したデータに対して再生処理を施す再生制御手段、８は映像信号処理部３で処理された映像信号や再生制御手段７によって再生された映像信号を表示するモニタ、９は読出制御手段６によって読み出されたデータまたは再生制御手段７によって再生された映像信号を外部出力する出力部、１０は入出力インターフェース、１１は網接続部、１２は記録部５から読み出した撮像データＤ１に対して同じく記録部５から読み出した付加データＤ２を合成して付加データ付き撮像データＤ３を作成し、書込制御手段４に送出する合成部、１３は付加データＤ２の加工を行う更新部、１４は時刻管理部、１５は全体の制御を司る制御部、１６は操作部である。
【００２４】
図２の構成要素と図１の構成要素との対応関係は次のとおりである。撮影レンズ１、撮像素子２および映像信号処理部３が撮像手段Ｅ１に対応する。書込制御手段４および記録部５が記録手段Ｅ２に対応する。読出制御手段６、再生制御手段７および出力部９が出力手段Ｅ３に対応する。入出力インターフェース１０および書込制御手段４が入力手段Ｅ４に対応する。時刻管理部１４が時刻管理手段Ｅ５に対応する。読出制御手段６、合成部１２および書込制御手段４が合成手段Ｅ６に対応する。操作部１６、更新部１３、時刻管理部１４、読出制御手段６および書込制御手段４が時差補正手段Ｅ７に対応し、また付加データ更新手段Ｅ８にも対応する。網接続部１１が網接続手段Ｅ９に対応する。制御部１５はすべてに対応する。
【００２５】
図３はネットワーク構成を示す概念図である。ネットワークを介してデータの配信を行うことができるように構成している。図３において、２１は旅行主催者（旅行代理店、パッケージツアー主催者等）のホームサーバー、２２はインターネット、２３は旅行参加者等のクライアント機である。クライアント機２３は図１や図２に示すカメラ装置である。その網接続部１１がインターネット２２に接続されている。クライアント機２３としては、カメラ装置を接続可能なパソコンもあり得る。
【００２６】
次に、上記のように構成されたカメラ装置の動作を説明する。
【００２７】
撮影に先立って付加データＤ２を登録しておく。入出力インターフェース１０にパソコンやリーダライタを接続し、付加データＤ２を入出力インターフェース１０を介して入力し、書込制御手段４によって記録部５に付加データＤ２を書き込む。付加データＤ２の書き込みや加工は操作部１６でのキー入力操作によっても可能である。
【００２８】
付加データＤ２の構成を図４に示す。図４において、ａ１は記録順番を表すシリアル番号（自然数）、ａ２は世界の標準時（ＪＳＴ：Ｊａｐａｎ  Ｓｔａｎｄａｒｄ  Ｔｉｍｅ。ＨＮＬ：ハワイ州ホノルルの標準時）、ａ３は現地時刻、ａ４は出発地点と使用する交通機関が合わさったデータの出発行程情報（出発地の情報のほか建造物、美術工芸品などのイベント情報を含み得る）、ａ５は到着地点のデータの到着行程情報である。このように、時刻と出発行程・到着行程が関連付けてコード化されている。
【００２９】
なお、必要に応じて撮影者は操作部１６によって、建造物、美術工芸品などの追加のデータを付加データＤ２に設定することができる。記録部５からすでに記録されている付加データＤ２を読み出した上で、修正・追加・削除などの加工を行うことも可能となっている。操作部１６では、現在時刻の調整、付加データＤ２の合成処理を行うモードと合成処理を行わないモードとを切り換え可能となっている。
【００３０】
撮影レンズ１を通して撮影された映像は撮像素子２などのセンサーによって光の信号から電気信号に変換され、映像信号処理部３で電気信号が処理され、記録部５に記録される。あるいは、モニタ８において表示され、撮影した画像を撮影者が確認可能である。あるいは、出力部９を介して外部に出力される。記録部５としては、半導体記録メディアでもよいし、磁気メディアでもよい。リムーバブルな光ディスクメディアやＩＣカードなどでもよい。
【００３１】
撮影者が操作部１６において、撮影操作を行うと、制御部１５は撮像素子２、映像信号処理部３、書込制御手段４および記録部５を制御して、上記の撮影動作を行うが、これと並行して、次のような付加データＤ２の合成処理の動作を行う。
【００３２】
制御部１５は、合成部１２に対して付加データ合成指令を与える。これに基づいて、合成部１２は、時刻管理部１４、読出制御手段６および書込制御手段４を統合的に制御する。読出制御手段６は、時刻管理部１４にアクセスし、時刻管理部１４が示している現在時刻に基づいて記録部５における付加データＤ２を検索する。標準時ａ２および現地時刻ａ３を基準に現在時刻の最直近のものに対応する１つのシリアル番号ａ１の付加データＤ２を抽出し、この抽出した付加データＤ２を現在の撮像データＤ１とともに読み出し、合成部１２に送出する。合成部１２は、現在の撮像データＤ１に対して抽出した現在時刻対応の付加データＤ２をディジタル的に合成し、付加データ付き撮像データＤ３を生成し、書込制御手段４を介して記録部５に付加データ付き撮像データＤ３を書き込む。
【００３３】
このようにして、各撮影ごとに、行程や建造物などに関する付加データＤ２を自動的に撮影画像と関連付けて記録することができる。
【００３４】
図４の付加データＤ２を具体的に説明する。
【００３５】
１番目の行程は、２５日の９時００分にＪＡＬＸＸ便でＫＩＸ（関西国際空港）からＨＮＬ（ホノルル国際空港）に向かっていることを表す。
【００３６】
２番目の行程は、日付変更線を越え、時間帯がＪＳＴ（日本標準時間）からＨＮＬ（ホノルルの現地時間）に変更され、２４日の２１時００分にバスでＡＢＣホテルに到着することになっている。
【００３７】
３番目の行程は、２５日の１２時００分にオアフ島にあるダイアモンドヘッドの所へ行くことを予定している。
【００３８】
４番目の行程は、２６日の１５時００分にカメハメハ大王像の所で撮影することを予定している。
【００３９】
５番目の行程は、２７日の１９時００分にはＡＮＡＸＸ便でＨＮＬ（ホノルル国際空港）からＫＩＸ（関西国際空港）へ移動することを予定している。
【００４０】
これらの付加データＤ２はディジタル的にコード化されたものである。
【００４１】
ここで、１番目の行程において、飛行機の機内で例えば２５日（ＪＳＴ）の１０時３５分に写真を撮ると、撮像データＤ１には、付加データＤ２としての“２５日１０：３５（ＪＳＴ）ＫＩＸ⇒ＨＮＬ  ＪＡＬ  ＸＸ便”が自動的に付加され、記録される。図６（ａ）参照。
【００４２】
また、３番目の行程において、２５日（ＨＮＬ）の１２時８分に写真を撮ると、撮像データＤ１には、付加データＤ２としての“２５日１２：０８（ＨＮＬ）カメハメハ大王像”が自動的に付加され、記録される。なお、ここで、記録にはカメハメハ大王像だけを残し、ＨＮＬ  ＡＮＡ  ＸＸ便を記録しないことも可能である。
【００４３】
ところで、旅行中に予定が突然に変更になる場合がある。そのような場合には、操作部１６での操作により記録部５における付加データＤ２を更新することができる。図４の付加データＤ２に対する変更の一例を図５に示す。Ｎｏ．３の付加データＤ２が変更されている。予定変更に対して素早く対応することができ、非常に有用である。このデータ更新については、網接続部１１を介してネットワーク上のホームサーバーからダウンロードすることも可能である。
【００４４】
このように、新たに移動ポイントを増やしたり、あるいは、減らしたりしても、あらかじめ行動する時間さえ決めておけば、付加データＤ２を更新すれば、自動的に時刻に連動した状態の撮影記録が可能である。
【００４５】
図６（ａ）の場合、“山”でデフォルメされて図示される撮像データＤ１に対して、時刻情報の“２５日１０：３５（ＪＳＴ）”、出発行程情報の“ＫＩＸ（関西国際空港）”、到着行程情報の“ＨＮＬ（ホノルル国際空港）”、交通手段情報“ＪＡＬ  ＸＸ便”からなる付加データＤ２がディジタル的に合成され、付加データ付き撮像データＤ３が生成されている。この付加データ付き撮像データＤ３をモニタ８に表示させると、“２５日”に“ＪＡＬＸＸ便”により“関西国際空港”から“ホノルル国際空港”へ移動中、“１０時３５分”の時刻に撮影した写真だということが分かる。
【００４６】
図６（ｂ）の場合、“双つ山”でデフォルメされて図示される撮像データＤ１に対して、時刻情報の“２５日１３：２７（ＪＳＴ）”、出発行程情報の“ＫＩＸ（関西国際空港）”、到着行程情報の“ＨＮＬ（ホノルル国際空港）”、交通手段情報“ＪＡＬ  ＸＸ便”からなる付加データＤ２がディジタル的に合成され、付加データ付き撮像データＤ３が生成されている。この付加データ付き撮像データＤ３をモニタ８に表示させると、“２５日”に“ＪＡＬＸＸ便”により“関西国際空港”から“ホノルル国際空港”へ移動中、“１３時２７分”の時刻に撮影した写真だということが分かる。付加データＤ２について、図６（ａ）に比べて、撮影時刻が相違している。
【００４７】
図６（ｃ）の場合、“客船”でデフォルメされて図示される撮像データＤ１に対して、時刻情報の“２５日９：４３（ＨＮＬ）”、出発行程情報の“真珠湾”、到着行程情報の“ＤＩＡＭＯＮＤＨＥＡＤ”、交通手段情報“ＴＡＸＩ”からなる付加データＤ２がディジタル的に合成され、付加データ付き撮像データＤ３が生成されている。この付加データ付き撮像データＤ３をモニタ８に表示させると、“２５日”に“ＴＡＸＩ”により“真珠湾”から“ＤＩＡＭＯＮＤＨＥＡＤ”へ移動中、“９時４３分”（現地時刻）の時刻に撮影した写真だということが分かる。
【００４８】
このような付加データ付き撮像データＤ３が人為操作なく自動的に作成される。予定通りに行動していれば、撮像データＤ１と付加データＤ２との対応関係は正しく保たれ、人為的な配慮および修正は不要である。そして、あとからでも、どこからどこへどのような交通手段で移動したかということが確実かつ鮮明に再現される。
【００４９】
付加データＤ２はコード化されたものであり、必要な記憶容量は比較的少なくてすむ。
【００５０】
操作部１６は、付加データ付き撮像データＤ３のモニタ８への出力の指示、出力部９を介しての外部へのデータ出力の指示、入出力インターフェース１０を介しての外部データの取り込みの指示、網接続部１１を介してのネットワークデータのダウンロードの指示などを行うように構成されている。
【００５１】
操作部１６では、現在の時刻の調整、特に現地時間に合わせる時刻調整が可能である。また、操作部１６での操作により、付加データＤ２を合成して撮影するか否かのモード選択も可能である。また、すでに記録部５に登録されている付加データＤ２の変更も可能である。
【００５２】
上記において、付加データＤ２の一部を絵文字で表現するのでもよい。図７（ａ）〜（ｃ）に図６（ａ）〜（ｃ）と等価な絵文字モード表現を示す。この絵文字をディジタルデータとしてコード化しておけばよい。図７（ａ），（ｂ）では、図６（ａ），（ｂ）の“ＪＡＬＸＸ便”に代えて、航空機の絵文字が用いられている。図７（ｃ）では、図６（ｃ）の“ＴＡＸＩ”に代えて、車を意味するタクシーの絵文字が用いられている。コード化しているのでデータ量は少なくて済む。
【００５３】
カメラ装置であるクライアント機２３は、インターネット２２を介してホームサーバー２１にアクセスし、例えば図４に示すような旅行行程の付加データＤ２をインターネット２２および網接続部１１を介してダウンロードし、書込制御手段４によって、記録部５に書き込むこともできる。このように旅行主催者のホームサーバー２１からインターネット２２を介して所望の旅行行程についての付加データＤ２を容易に入手することができる。旅行主催者は旅行者に対して付加データＤ２を配信するというサービスを提供する。
【００５４】
このように、旅行行程にかかわる付加データＤ２を、実際の旅行に先立ってインターネット２２を介してホームサーバー２１から入手することができる。インターネット２２を介しての付加データＤ２のダウンロードが可能であるので、旅行前だけでなく、旅行の途上でも付加データＤ２をダウンロードすることができる。
【００５５】
したがって、短期間に多くの箇所を旅行するような場合や、旅行途上での旅行行程変更に際して、必要な付加データＤ２を手軽に入手することができる。
【００５６】
海外など見知らぬ土地で自由時間のあと集合場所や集合時間を忘れた場合には、付加データを見ることで、次の予定されている行程を確認することができ、日程管理表としても使用可能である。このように、時間に連動したデータを用いれば、一般的に旅行行程の記憶のほうが、撮影日時などの検索よりもはっきりと覚えていることが多い。したがって、従来の日時などの検索よりも撮影データに関する検索を容易に行うことが可能となり、便利である。
【００５７】
【発明の効果】
本発明によれば、撮影時刻にタイムリーに合致した付加データを撮像データに合成した付加データ付き撮像データが撮影と同時に自動的に作成され、自動的に記録されるので、従来のように撮影者があとでまとめて人手作業でいちいち合成する場合に比べて、はるかに効率良く、はるかに正確に付加データ付き撮像データを得ることができる。
【図面の簡単な説明】
【図１】本発明のカメラ装置の基礎的な構成を示す概念図
【図２】本発明の実施の形態におけるカメラ装置の構成を示すブロック図
【図３】本発明の実施の形態におけるネットワーク構成を示す概念図
【図４】本発明の実施の形態における付加データの一例の構成図
【図５】図４の付加データを変更した付加データの一例の構成図
【図６】本発明の実施の形態における付加データ付き撮像データをデフォルメして示す画像状態図
【図７】本発明の実施の形態における付加データ付き撮像データに絵文字が用いられた画像状態図
Ｄ１  撮像データ
Ｄ２  付加データ
Ｄ３  付加データ付き撮像データ
Ｅ１  撮像手段
Ｅ２  記録手段
Ｅ３  出力手段
Ｅ４  入力手段
Ｅ５  時刻管理手段
Ｅ６  合成手段
Ｅ７  時差補正手段
Ｅ８  付加データ更新手段
Ｅ９  網接続手段
１  撮影レンズ
２  撮像素子（ＣＣＤ）
３  映像信号処理部
４  書込制御手段
５  記録部
６  読出制御手段
７  再生制御手段
８  モニタ
９  出力部
１０  入出力インターフェース
１１  網接続部
１２  合成部
１３  更新部
１４  時刻管理部
１５  制御部
１６  操作部
【図１】
2004260247.tif 000003
【図２】
2004260247.tif 000004
【図３】
2004260247.tif 000005
【図４】
2004260247.tif 000006
【図５】
2004260247.tif 000007
【図６】
2004260247.tif 000008
【図７】
2004260247.tif 000009